(57)【要約】【課題】  打ち出されたボールの方向性が良く、且つ転がりの良い、従って延びのあるボールを方向性良く打ち出すことの出来るゴルフパターのヘッド構造を提供すること。【解決手段】  パターヘッド本体４のフェース部６に、弾性接着層１２を介して、フッ素樹脂フィルム１０を固着せしめ、かかるフィルムにてボールの打球面を構成せしめるようにした。【選択図】        図  ３
2005185347.tif 000002
【特許請求の範囲】
【請求項１】
パターヘッド本体のフェース部に、弾性接着層を介して、フッ素樹脂フィルムを固着せしめ、かかるフィルムにてボールの打球面を構成したことを特徴とするゴルフパター。
【請求項２】
前記弾性接着層が、ゴム系接着剤にて形成されている請求項１に記載のゴルフパター。
【請求項３】
前記フッ素樹脂フィルムが、０．００５〜０．５ｍｍの厚さを有している請求項１又は請求項２に記載のゴルフパター。
【請求項４】
前記フッ素樹脂フィルムのボールに当たる側の面が、滑らかな平滑面とされている請求項１乃至請求項３の何れかに記載のゴルフパター。
【請求項５】
前記フッ素樹脂フィルムの固着側の面のみが、塩酸処理による改質面とされている請求項１乃至請求項４の何れかに記載のゴルフパター。
【発明の詳細な説明】
【技術分野】
【０００１】
本発明は、ゴルフパターの改良に係り、特に、パッティング時における打球の方向性とボールの転がりに優れたゴルフパターに関するものである。
【背景技術】
【０００２】
従来から、ゴルフにおけるパタークラブ、所謂ゴルフパターは、パターとも略称され、グリーン上において、カップにボールを転がし入れるために用いられており、一般に、プレーヤーにて把持されるグリップから下方に延びるシャフトの先端に、ブロック形状やバー形状等の形状を呈するパターヘッドを有し、このパターヘッドの打球面（フェース）にてボールを打つことにより、グリーン上において、目的とする方向に転がす（パッティングする）ようになっている。
【０００３】
ところで、そのようなパターのパターヘッドとしては、軟鉄や真鍮等の金属製のものが提案されてきたが、どうしても、打球面が金属材質となって、ボールを打つこととなるところから、打球感が硬く、そのために、ボールの転がる距離合わせが難しい等というプレーヤーからのクレームがあり、このため、近年、打球感（フィーリング）等の観点から、パターヘッドの打球面たるフェースに各種のインサートが配され、ソフト感の如き効果を享受し得るようにした構造が採用されてきている。
【０００４】
例えば、特開平８−１９６６６８号公報においては、フェース・インサートとして、実質的にエラストマー、合成樹脂又はガラスのような材料からなるフェース・プレートをパターヘッドの打球面に配設することが明らかにされており、また特開２００１−６２０１１号公報においては、金属製のパターヘッドの打球面部に複数の溝加工を施し、さらに、その溝加工部分を含んで低比重の金属や合成樹脂、又はゴムにて一体成形して、打球面を構成してなる構造のものも、明らかにされている。
【０００５】
しかしながら、それら従来から提案されているパターヘッドのフェース・インサート構造にあっては、パッティング時において、確かに、ソフトなフィーリング乃至はタッチが得られるものの、パッティングに際してのボール衝突時にボールの打出し方向に微妙なズレが惹起され、プレーヤーの意図しない方向にボールが転がったり、また、ボールにも望ましくないスピンがかかったり、さらに、パッティング時にボールがバウンドしたり、蛇行状態となったり、グリーンの芝の抵抗に大きく影響されたりして、ボールの転がりが悪く、方向性も良くない等という問題が内在している。このため、ボールがカップ・インする確率も、充分満足するものではなかったのである。
【０００６】
【特許文献１】特開平８−１９６６６８号公報
【特許文献２】特開２００１−６２０１１号公報
【発明の開示】
【発明が解決しようとする課題】
【０００７】
ここにおいて、本発明は、かかる事情を背景にして為されたものであって、その解決すべき課題とするところは、打ち出されたボールの方向性が良く、且つ転がりの良い、従って延びのあるボールを方向性良く打ち出すことの出来るゴルフパターのヘッド構造を提供することにある。
【課題を解決するための手段】
【０００８】
そして、本発明は、そのような課題を解決するために、パターヘッド本体のフェース部に、弾性接着層を介して、フッ素樹脂フィルムを固着せしめ、かかるフィルムにてボールの打球面を構成したことを特徴とするゴルフパターを、その要旨とするものである。
【０００９】
なお、かかる本発明に従うゴルフパターにあっては、前記弾性接着層は、有利には、ゴム系接着剤にて形成されることとなる。
【００１０】
また、本発明の望ましい態様によれば、前記フッ素樹脂フィルムは、０．００５ｍｍ〜０．５ｍｍの厚さを有しており、更に、そのようなフッ素樹脂フィルムのボールに当たる側の面は、有利には、滑らかな平滑面とされている。
【００１１】
さらに、本発明にあっては、そのようなフッ素樹脂フィルムが弾性接着層にてパターヘッド本体のフェース部に効果的に接着（固着）せしめられ得るように、かかるフィルムの固着側の面のみが、塩酸処理による改質面とされていることが、望ましいのである。
【発明の効果】
【００１２】
従って、かくの如き本発明に従うゴルフパターにあっては、フッ素樹脂フィルムにて、フェース面が構成され、そして、そのようなフィルムが、弾性接着層にて、パターヘッド本体のフェース部に固着せしめられているものであるところから、パッティング時において、ボールが、それらフッ素樹脂フィルムと弾性接着層を介して、パターヘッド（本体）にて打ち出されるようになるところから、パターのボール衝突時の衝撃は、弾性接着層にて効果的に受け止められ、特に、そのような弾性接着層の衝撃吸収作用によって、打球時に生じる微妙な衝撃乃至は微動や変形を効果的に吸収して、ソフトなタッチにて、距離感よくパッティングすることが可能となると共に、ボールの打ち出し方向の方向性を高め、また、ヘッド本体やシャフトに伝わる違和感を解消し、ストローク通りのボールを打ち出すことを、可能とするのである。
【００１３】
しかも、そのような本発明に従うゴルフパターにあっては、パターヘッド本体のフェース部において、ボールの当たるフェース面がフッ素樹脂フィルムにて構成されているところから、ボール離れがよくなり、且つ速くもなり、また、ボールにバックスピンがかかるようなパッティング、例えばパタースウィングの円弧の最下点よりも前の段階においてボールがヒットされるような場合にあっても、フッ素樹脂フィルムの低摩擦特性のために、ボールとの間に滑りが生じて、望ましくないバックスピン（逆スピン）がかかることが効果的に抑制乃至は阻止され得ることとなり、それによって、ボールに素直な回転をさせ、ボールがグリーンの芝にてバウンドしたり、芝の抵抗にてボールの転がりに影響を受けたりするようなことがなくなり、以て、方向性のよい、また、転がりのよいボールを打ち出すことが出来るのである。
【００１４】
また、かかる本発明に従うパターヘッド構造にあっては、パターヘッド本体のフェース面に対して、フッ素樹脂フィルムを弾性接着層にて固着せしめるだけでよいところから、使い慣れたパタークラブに対して、簡単に且つ安価に実現可能であり、しかも、パターヘッドの重量の変化も極力抑制し得るものであるところから、使い慣れたパターをより使い易いものとすることが可能となる特徴を有している。
【発明を実施するための最良の形態】
【００１５】
以下、図面を参照しつつ、本発明の構成について、更に具体的に明らかにすることとする。
【００１６】
先ず、図１には、ゴルフパターにおけるヘッド部の一つの形態が、パター下部の正面部分図として示されており、そこにおいて、２は、所定長さにおいて上下方向に延びる金属製や炭素繊維強化樹脂（ＣＦＲＰ）製等からなるシャフトであって、その上端部には、よく知られているように、プレーヤーにて把持されるところのグリップ（図示せず）が設けられている一方、その下端部には、ブロック状乃至はバー状等の公知の金属製のヘッド本体４が、一体的に取り付けられている。そして、そのようなヘッド本体４の前面部となるフェース部６に対して、本発明に従うフェース面８が形成されているのである。
【００１７】
具体的には、図１におけるＡ−Ａ断面を拡大して示す図２や、図１のゴルフパターのヘッド部を分解して示す図３から明らかな如く、ヘッド本体４の前面のフェース部６の全面に亘って、所定厚さのフッ素樹脂フィルム１０が、弾性接着層１２によって固着せしめられて、ヘッド本体４と一体的な構造のフェース面８を与えているのである。
【００１８】
ここで、そのようなヘッド本体４のフェース部６に対して固着せしめられるフッ素樹脂フィルム１０としては、ポリテトラフルオロエチレン、ポリフッ化ビニル、ポリフッ化ビニリデン、ポリクロロトリフルオロエチレン、テトラフルオロエチレン−ヘキサフルオロプロピレン共重合体等のフッ素樹脂からなる、公知のフィルムが適宜に用いられることとなるが、ここでは、一般に、ポリテトラフルオロエチレンからなるフィルムが有利に用いられる。また、そのようなフッ素樹脂フィルム１０の厚さとしては、一般に、０．００５〜０．５ｍｍ程度が採用されることとなる。このフィルムの厚さが薄くなり過ぎると、その取り扱いが困難となり、フィルムが破れる等の問題を惹起し、一方、厚くなり過ぎた場合にあっては、下層の弾性接着層１２の弾力性を有効にボールに伝達し難くなり、弾性接着層１２の配設意義が低下せしめられる等の問題を生じる。
【００１９】
そして、そのようなフッ素樹脂フィルム１０にて、ボールの打球面が構成されていることによって、パッティング時において、ボールは、フッ素樹脂フィルム１０に当接して打球されることとなり、そのため、そのようなフッ素樹脂フィルム１０の低摩擦特性によって、球離れが容易で、速くなり、それに加えて、望ましくないバックスピンがかかることが効果的に抑制乃至は阻止され、むしろ、トップスピンのボールとして、グリーン上を転がるようになるのである。このため、芝によってボールがバウンドしたり、飛び上がったりすることが抑制され、また、芝による抵抗等の悪影響も効果的に避けられ得て、ボールの転がりが大幅に向上せしめられ得ることとなるのであり、また、その方向の正確性においても、効果的に高められ得るのである。
【００２０】
そして、本発明にあっては、そのようなフッ素樹脂フィルム１０による作用・効果をより一層高める上において、その表面のボールに当たる側の面が、滑らかな平滑面とされていることが望ましく、有利には、Ｒｚが０．８μｍ以下の平滑面とされることとなる。
【００２１】
このように、本発明に従って、フッ素樹脂フィルム１０は、パターヘッド本体４のフェース部６の面に対して、弾性接着層１２を与える接着剤を用いて接着せしめられ、これにより、弾性接着層１２を介して、一体的に固着されてなる構造とされるのであるが、そのようなフッ素樹脂フィルム１０の有効な接着のために、フッ素樹脂フィルム１０のフェース部６に対向する側となる固着側の面が、濃塩酸を用いた塩酸処理によって改質され、その改質面において接着せしめられていることが望ましい。なお、そのような塩酸処理は、一般に、濃塩酸の水溶液に、１０分程度、フッ素樹脂フィルム１０の片面のみを接触させた後、乾燥し、更にフィルムの反りや応力等をとるために、熱処理を行うことによって、実施され、そしてその後、速やかに、パターヘッド本体４のフェース部６に対する接着が行われるようにすることが望ましい。そのようなフィルムの改質面は、大気中のオゾンにて劣化させられ易いからである。
【００２２】
また、パターヘッド本体４のフェース部６に対して、フッ素樹脂フィルム１０を固着せしめる弾性接着層１２を形成する接着剤として、弾性層を与える接着剤であれば、フッ素樹脂フィルム１０を接着し得る限りにおいて、何れの接着剤も使用可能であるが、特に、本発明にあっては、ゴム系接着剤、例えば、アクリルゴム系、ＣＲ系、ＮＢＲ系、ＳＢＲ系、ＩＩＲ系、天然ゴム系、再生ゴム系等の、公知の各種のゴム系接着剤が、有利に用いられることとなる。なお、そのようなゴム系接着剤等を用いて形成される弾性接着層１２は、一般に、０．０１〜０．５ｍｍ程度の厚さとされることとなる。
【００２３】
なお、この弾性接着層１２の厚さが、あまりにも薄いと、その弾性作用を利用して、本発明の作用・効果を十分に発揮させることが困難となるからであり、また、厚すぎる場合にあっては、反撥力が吸収される量が多くなる等という問題を惹起するからである。
【００２４】
そして、このような弾性接着層１２が、フッ素樹脂フィルム１０とパターヘッド本体４のフェース部６との間に存在することによって、パッティング時におけるボールの衝突に基づくところの衝撃や振動が効果的に吸収乃至は緩和されることとなり、これによって、ソフトなタッチ感が出て、フィーリングがよく、微妙な距離感を出すことが出来るのである。
【００２５】
要するに、かくの如くして得られたパターヘッド本体４のフェース部６に、弾性接着層１２を介して、フッ素樹脂フィルム１０が一体的に固着せしめられてなる構造のゴルフパターにあっては、パッティングに際して、ボールとの衝突による衝撃は、弾性接着層１２にて受け止められて、その衝撃やそれによる変形作用が効果的に吸収されることとなると共に、その反力は、ボールに対して正しく伝えられることとなる。また、ボールの打球面を構成するフッ素樹脂フィルム１０の存在によって、バックスピンがかかるようなパッティング・ストロークが行なわれても、ボールとフッ素樹脂フィルム１０との間の滑りによって、パターヘッド本体４からボールに対してバックスピン方向の回転が与えられるようなことが、効果的に抑制乃至は阻止され得るのであり、これにより、打ち出し時にボールが弾んだり、更には蛇行してボールが転がったり、また、芝の抵抗を受けて転がりが悪くなったりすることが有利に回避され、以て、転がりの良い、従って延びのあるボールとして打ち出すことが出来るようになるのである。
【００２６】
なお、本発明は、図示の構造のものや、上記した具体的態様のもののみに限定して解釈されるものでは決してなく、本発明の趣旨を逸脱しない限りにおいて、当業者の知識に基づいて、種々なる変更、修正、改良等を加えた形態において実施され得るものであることが、理解されるべきである。
【００２７】
例えば、パターヘッドの形状や構造としては、各種のものが知られており、その何れのものに対しても、本発明が、そのまま適用され得るものであることは、言うまでもないところである。
【００２８】
また、例示の具体例においては、パターヘッド本体４のフェース部６の全面に亘って弾性接着層１２を介して、フッ素樹脂フィルム１０が固着されてなる構造とされているのであるが、また、パターヘッド本体４のフェース部６の一部に、具体的には打球部位を含む部分に対して、弾性接着層１２とフッ素樹脂フィルム１０とを部分的に配置せしめるようにすることも、可能である。
【図面の簡単な説明】
【００２９】
【図１】本発明に従うゴルフパターの一例に係るヘッド部における正面部分図である。
【図２】図１におけるＡ−Ａ断面拡大説明図である。
【図３】図１に示されるパターのヘッド部の構成を示す分解斜視図である。
【符号の説明】
【００３０】
２：シャフト                     ４：パターヘッド本体
６：フェース部                   ８：フェース面
１０：フッ素樹脂フィルム          １２：弾性接着層
【図１】
2005185347.tif 000003
【図２】
2005185347.tif 000004
【図３】
2005185347.tif 000005